(57)【要約】    【課題】  採取された血液の逆流を効果的に防止することができると共に、採血時における採取された血液の血液細胞の破壊や損傷を生じ難くすることができ、かつ採血後にそのまま真空採血管を用いて遠心分離などを行ったとしても、採取された血液の血液細胞の破壊や損傷を抑制することができる真空採血管を提供する。    【解決手段】  真空採血管本体２の開口端２ａを閉塞するように真空採血管本体２に取り付けられており、かつ採血針の針部を刺通すことが可能な材質で構成されている真空採血管用栓体３と、液密的に前記真空採血管本体２内壁面と接しており、真空採血管本体２内において、開口端２ａ側から他端側へは採取される血液の圧力により移動可能であるが、反対方向には摺動抵抗が大きく移動不可能な摺動部材４とを備えている真空採血管。【選択図】        図１
2005253538.tif 000002
【特許請求の範囲】
【請求項１】
真空採血方式に用いられる真空採血管であって、一端が開口されており、他端が閉ざされている真空採血管本体と、前記真空採血管本体の開口端を閉塞するように真空採血管本体に取り付けられており、かつ採血針の針部を刺通すことが可能な材質で構成されている真空採血管用栓体と、液密的に前記真空採血管本体内壁面と接しており、真空採血管本体内において、開口端側から他端側へは採取される血液の圧力により移動可能であるが、反対方向には摺動抵抗が大きく移動不可能な摺動部材とを備えることを特徴とする真空採血管。
【請求項２】
前記摺動部材が、真空採血管本体内壁面に密着していない柱状の摺動部材本体と、該摺動部材本体側面に形成されており、かつ真空採血管本体内壁面と液密的に接する環状リブとを有すること特徴とする請求項１に記載の真空採血管。
【請求項３】
前記環状リブは、真空採血管本体の内壁に密着する外側端縁から摺動部材本体の外表面に至る第１，第２の環状面を有し、第１の環状面が真空採血管本体の開口端側に位置している環状面であり、第２の環状面が真空採血管本体の開口端とは反対側の端部側に位置している環状面であり、第１の環状面が真空採血管本体の長さ方向と直交する面、あるいは径方向外側が真空採血管本体の開口端側に位置している傾斜面により構成されており、第２の環状面が、径方向外側にいくにつれて真空採血管本体の開口端側に位置するように傾斜されている傾斜面である、請求項２に記載の真空採血管。
【発明の詳細な説明】
【技術分野】
【０００１】
本発明は、内部の減圧を利用して血液を採取する真空採血方式に用いられる真空採血管に関し、より詳細には、採血に際しての血液の逆流を防止する構造が備えられた真空採血管に関するものである。
【背景技術】
【０００２】
従来、真空採血管を用い、真空採血管内の減圧を利用して採血を行う真空採血方式が種々提案されている。このような真空採血方式では、図９に略図的に示すように、被採血者の血管Ａに採血針４１の針部を挿入する。採血針４１の他端は真空採血管４２の真空採血管用栓体４２ａを刺通し真空採血管本体４２ｂに挿入されている。真空採血管４２の内部は減圧されている。従って、被採血者の血管Ａ内の圧力と真空採血管４２内の圧力との圧力差により、採血針４１から血液が真空採血管本体４２ｂ内に採取される。減圧を維持するために、上記真空採血管用栓体４２ａは、真空採血管本体４２ｂの開口端を閉塞するように取り付けられている。また、真空採血管用栓体４２ａは、通常、採血針で刺通され得るゴムやエラストマーなどの物質で構成されている。
【０００３】
ところで、通常、凝固機能検査用や血沈検査用の真空採血管では、採取した血液の凝固を防止するために、真空採血管本体４２ｂ内にはヘパリンやクエン酸塩水溶液などの血液抗凝固剤が収納されている。また生化学検査用の真空採血管では、血液の凝固を促進するために、シリカやカオリン、珪藻土といったようなシリカ系鉱物が真空採血管本体４２ｂ内に血液凝固促進剤として収納されている。血液学検査用の真空採血管では、エチレンジアミン四酢酸塩やシュウ酸塩などが、血糖検査用の真空採血管では、フッ化水素塩が真空採血管本体４２ｂ内に収納されている。これらの薬剤は、濃度が定められたものとなるように、採取する血液の量に応じて、細かくその収納量が管理されている。
【０００４】
真空採血方式による採血では、血液の採取は圧力差を利用して自動的に行われるので、採血者は針先が被採血者の血管内に正しく位置されているかどうかのみに注意を集中していればよい。また、上述した血液抗凝固剤や血液凝固促進剤などの血液前処理薬剤との混和も、予め収納されている薬剤との混合操作のみであり、自ら薬剤を秤量して、採取した血液に投入する必要もなく、採血業務の簡素化と標準化に有用なものである。
【０００５】
しかしながら、採血作業が不適切であると、真空採血管内に採取した血液が、被採血者の血管内に逆流するおそれがあった。逆流が起こると、真空採血管内の上述した血液抗凝固剤や血液凝固促進剤などの血液処理薬剤も被採血者の血管内に移行することになる。これらの薬剤としては、血液細胞を非生理的な状態に固定する作用を有するものが使われており、該薬剤が生体内に移行することは好ましくない。
【０００６】
上記逆流が生じるのは、被採血者の血管内の圧力が急降下したときなどである。例えば、図９に示した真空採血方式では、上述のように血管内の圧力と真空採血管４２内の圧力との圧力差により、血液が真空採血管本体４２ｂ内に導かれる。採血が進むにつれて血管内の圧力と真空採血管４２内の圧力との圧力差が小さくなり、採血終了時には、血管内の圧力と真空採血管４２内の圧力との圧力差がなくなり平衡に達する。ところが、採血は一般に駆血体を上腕部に装着した状態で行なわれるが、駆血帯をして採血を行い、採血終了時に、誤って真空採血管４２を採血針４１から抜き取る前に駆血帯を外した場合には、血管内の圧力は急激に低下し、逆流が生じるおそれがある。
【０００７】
駆血帯を上腕部に装着している間は、静脈が緊張しているため、静脈血圧が、通常の生
理的な静脈血圧よりも少し高くなる。従って、真空採血管内に流入してくる血液の圧力は通常の静脈血圧よりも少し高くなっており、採血終了時の真空採血管内の空間部分、すなわち残存空気の気圧も同じく通常の静脈血圧よりも少し高くなっている。このときに駆血帯を外すと、通常よりも少し高くなっていた静脈血圧が、本来の静脈血圧まで下がるために、真空採血管内の残存空気の圧力も本来の通常の静脈血圧に等しくなろうとし、残存空気が数％程度膨張することになる。そのため、血液の逆流が起こることになる。例えば、Ｖａを採血終了時の真空採血管内の空間部分の体積（ｍｌ）とし、Ｐａを採血終了時の静脈血圧（ｍｍＨｇ）とし、Ｐｂ駆血体を外した際の静脈血圧、すなわち、通常の生理的な静脈血圧（ｍｍＨｇ）とした場合、逆流する血液の概算量（ｍｌ）は、逆流量＝Ｖａ（Ｐａ−Ｐｂ）／Ｐｂの式で求められる。なお、Ｐａ、Ｐｂは大気圧を含めた真の圧力表示としており、一般的には、Ｐｂは７７０ｍｍＨｇ程度であり、Ｐａは８００ｍｍＨｇ程度である。
【０００８】
以上の例の場合には、採血者が慎重に注意深く採血作業を行えば、採取した血液の逆流を防止することは可能である。しかしながら、血圧の降下は、作業上の誤りだけで起こるものではなく、被採血者の不安感や恐怖心など心理的な面においても起こり得る。心理的な原因による血圧降下は、被採血者体内の不随意的な意思により起こるものであり、採血者が慎重に作業を行ったとしても、防ぐことはできない。
【０００９】
そこで、血液の逆流を防止する構造を備えた真空採血管が提案されている。
【００１０】
例えば、下記の特許文献１には、図１０に正面断面図及び図１１に部分切欠正面断面図で示す真空採血管が開示されている。図１０に示すように、真空採血管システム５１では、ホルダー５２に採血針５３が挿入されて固定されている。ホルダー５２の下方開口端から真空採血管５４が挿入されるように構成されている。真空採血管５４は開口端を有する真空採血管本体５５と、真空採血管用栓体５６とを有する。真空採血管用栓体５６は、真空採血管本体５５の開口端を液密的に閉塞するように取り付けられている。真空採血管用栓体５６は、採血針を刺通すことが可能なゴムやエラストマーなどの物質で構成されており、内側端に逆止部材５６ａ、５６ｂを有する。
【００１１】
使用に際しては、図１１に示すように、採血針５３の針部５３ａが、被採血者の血管Ａに挿入される。他方、ホルダー５２内に真空採血管５４が挿入され、採血針５３の反対側の針部５３ｂが真空採血管用栓体５６を刺通る。この場合、採血針５３の針部５３ｂは、上記逆止部材５６ａ、５６ｂの先端よりも上方に位置している。従って、被採血者の血管Ａ内の圧力と真空採血管５４内の圧力との圧力差により被採血者の血管Ａから、採血針５３を通り、血液が真空採血管本体５５内に導かれる。採血針５３の針部５３ｂから血液が流れ、逆止部材５６ａ、５６ｂの先端部分を通過し、下方に流下される。
【００１２】
ところで、逆止部材５６ａ、５６ｂの先端間は、上記血流により開かれ、血液が下方に流下されるように構成されている。もっとも、血液が採血針５３の配置されている側に逆流しようとした場合には、逆止部材５６ａ、５６ｂの先端の隙間が閉じられ、逆流が防止されるように構成されている。
【００１３】
また、下記特許文献２、特許文献３、特許文献４及び特許文献５には、採血針が取り付けられているハブの内部に逆止部材を設けることが提案されている。さらに特許文献６には、ハブの内部に、採血された血液が吸引する方向にはスムーズに流れるが、逆流方向には抵抗となるような障害物を設けた様式が提案されている。
【００１４】
特許文献７には、逆流を直接防止するものではないが、真空採血管本体を、採取した血液を貯留する部分と薬剤を収納しておく部分とに分割して、採取した血液が逆流を起こし
ても、薬剤は被採血者の血管内に移行しないような構造が提案されている。一方、特許文献８には、逆流防止ではないが、採取した血液が真空採血管内の残存空気に直接触れないようにするために、可動性のピストン障壁部材を真空採血管内に設けた様式が提案されている。
【特許文献１】特開昭５４−４１９１号公報
【特許文献２】特開昭５６−１４３１４４号公報
【特許文献３】特開昭５７−１１６６１号公報
【特許文献４】特開昭５８−１０３４３８号公報
【特許文献５】特開平１１−１６９３５９号公報
【特許文献６】特開昭５７−１１６６０号公報
【特許文献７】特開平１１−２３５３２９号公報
【特許文献８】特開昭５１−９４８９２号公報
【発明の開示】
【発明が解決しようとする課題】
【００１５】
上記のように、特許文献１に記載の真空採血管５４では、真空採血管用栓体５６に逆流を防止するための逆止部材５６ａ、５６ｂが設けられていた。従って、採血時に採取された血液の被採血者の血管内への逆流は、一応防止することが可能とされている。
【００１６】
しかしながら、上記真空採血管用栓体５６に逆止部材５６ａ、５６ｂ連結されており、血液の採取に際し、上記逆止部材５６ａ、５６ｂに血液が接触しつつ、下方に流下され、真空採血管本体５５内に血液が採取されていた。そのため、採取された血液が、採血時に逆止部材の狭い隙間を無理に押し広げるように流れる時に、血液細胞が破壊されるおそれがあった。また採血後に、例えば真空採血管５４を用いて遠心分離を行った場合、真空採血管用栓体５６や逆止部材５６ａ、５６ｂに付着していた生乾きの血液の血液細胞が真空採血管用栓体５６の表面や逆止部材５６ａ、５６ｂの表面から剥離する際に破壊されたり、損傷されたりするおそれがあった。
【００１７】
また、被採血者の血管Ａ内の圧力と真空採血管５４内の圧力との圧力差がなくなった時に、例えば、真空採血管５４が採血を始めた最初の位置よりも上方に持ち上げられた場合や、衝撃などが加わった場合には、なお逆流のおそれがあった。すなわち、真空採血管５４では、必ずしも上記逆流を確実に防止することはできなかった。
【００１８】
特許文献２から特許文献６に記載の様式においては、逆止部材や障害物が設けられているが、特許文献１の場合と同様に、採取した血液の血液細胞が破壊されたり、損傷されたりするおそれがあった。
【００１９】
また、特許文献７に記載の様式では、真空採血管内の薬剤が被採血者の血管内に移行するおそれはないが、真空採血管を二重構造にしなければならなかった。従って、生産コストが高くつかざるを得なかった。特許文献８に記載の様式では、採取した血液が、真空採血管内の残存空気と接触しないようにピストン障壁部材が設けられているだけであり、ピストン障壁部材は双方向に移動可能なため、採取した血液が被採血者の血管内に逆流することを防止することはできなかった。
【００２０】
本発明の目的は、上述した従来技術の欠点を解消し、真空採血に際し、採取された血液の逆流を効果的に防止することができるだけでなく、採血時における採取された血液の血液細胞の破壊や損傷を生じ難くすることができ、かつ採血後にそのまま真空採血管を用いて遠心分離などを行ったとしても、採取された血液の血液細胞の破壊や損傷が生じ難い真空採血管を提供することにある。
【課題を解決するための手段】
【００２１】
本願の発明は、真空採血方式に用いられる真空採血管であって、一端が開口されており、他端が閉ざされている真空採血管本体と、前記真空採血管本体の開口端を閉塞するように真空採血管本体に取り付けられており、かつ採血針の針部を刺通すことが可能な材質で構成されている真空採血管用栓体と、液密的に前記真空採血管本体内壁面と接しており、真空採血管本体内において、開口端側から他端側へは採取される血液の圧力により移動可能であるが、反対方向には摺動抵抗が大きく移動不可能な摺動部材とを備えることを特徴とする。
【００２２】
本願発明のある特定の局面では、前記摺動部材が、真空採血管本体内壁面に密着していない柱状の摺動部材本体と、該摺動部材本体側面に形成されており、かつ真空採血管本体内壁面と液密的に接する環状リブとを有する。
【００２３】
本発明のさらに他の特定の局面では、前記環状リブは、真空採血管本体の内壁に密着する外側端縁から摺動部材本体の外表面に至る第１，第２の環状面を有し、第１の環状面が真空採血管本体の開口端側に位置している環状面であり、第２の環状面が真空採血管本体の開口端とは反対側の端部側に位置している環状面であり、第１の環状面が真空採血管本体の長さ方向と直交する面、あるいは径方向外側が真空採血管本体の開口端側に位置している傾斜面により構成されており、第２の環状面が、径方向外側にいくにつれて真空採血管本体の開口端側に位置するように傾斜されている。
【発明の効果】
【００２４】
本願発明に係る真空採血管では、真空採血管本体内に液密的に真空採血管本体内壁面と接している摺動部材が備えられている。該摺動部材が備えられていることにより、被採血者の血管内の圧力と真空採血管内の圧力との圧力差がなくなった後、被採血者の血管内の圧力が急降下を起こしたりしても、摺動部材は真空採血管本体の開口端側に移動しないので、真空採血管内の摺動部材と真空採血管本体底部との空間に存在する残存空気の膨張を阻止することができる。従って、採取された血液の被採血者の血管内への逆流を防止することができる。さらに、本願発明の真空採血管は逆止部材を有しておらず、採血時や採血後における採取された血液の血液細胞の破壊や損傷が生じ難い。
【００２５】
また、本願発明の摺動部材は、摺動部材本体側面に環状リブを備えた構造とするのが好ましい。この該環状リブは、真空採血管本体の開口端側から他端側へは、真空採血管本体内壁面と該環状リブとの接触面での摩擦抵抗を小さくできるように形成されており、本願発明の摺動部材は、採取される血液と真空採血管内との圧力差により容易に移動可能である。一方、反対方向へは、真空採血管本体内壁面と該環状リブとの接触面に大きな摩擦抵抗を生じ易く、容易に移動させることができない。すなわち、本願発明の摺動部材は、一方向にのみ移動可能な構造を有していることにより、採取された血液が被採血者の血管内に逆流することを確実に防止できる。
【００２６】
さらに、上記環状リブが、第１，第２の環状面を有し、第１の環状面が真空採血管本体の長さ方向と直交する方向に延びる面、または径方向外側にいくにつれて真空採血管本体の開口端側に傾斜されている傾斜面とされており、環状リブの外側端縁よりも上記開口端とは反対側に位置する第２の環状面が、径方向外側にいくにつれて真空採血管本体の開口端側に位置するように傾斜されている傾斜面により構成されている場合には、第１の環状面により摺動部材の真空採血管本体の開口側への摺動抵抗が高くされ、逆に、真空採血管本体の開口端とは反対側の端部側への摺動抵抗が充分に低められる。
【発明を実施するための最良の形態】
【００２７】
以下、図面を参照しつつ、本発明の具体的な実施形態を説明することにより、本発明を
明らかにする。
【００２８】
図１は、本発明の実施形態に係る真空採血管を示す正面半断面図である。真空採血管１は、上端に開口端２ａを有する真空採血管本体２と、真空採血管本体２の上端の開口端２ａを閉塞するように真空採血管本体２に取り付けられた真空採血管用栓体３と、摺動部材本体４ａと該摺動部材本体４ａ側面に形成されており、かつ真空採血管本体２内壁面と液密的に接する環状リブ４ｂを有する摺動部材４とを備える。また、真空採血管１内は減圧されている。
真空採血管本体２は、硬質系ガラス、軟質系ガラス、ホウケイ酸系ガラスなどの各種ガラス、鎖状または環状オレフィン系樹脂、スチレン系樹脂、アクリル系樹脂、アクリロニトリル系樹脂、エステル系樹脂、アミド系樹脂、アルコール系樹脂、変性セルロース系樹脂など、及びこれらの共重合体などの熱可塑性樹脂、あるいは、フェノール系樹脂、エステル系樹脂、尿素系樹脂、もしくはメラミン系樹脂などの熱硬化性樹脂などから構成され得る。これらの材料の１種のみから構成されていてもよく、複数の材料により構成されていてもよい。好ましくは、加工が容易で低コストである硬質ガラスやエステル系熱可塑性樹脂であるポリエチレンテレフタレートなどの透明な材料で構成される。真空採血管本体２の成型は、射出成型や押出成型、ブロックの切削成型など従来公知の成型方法で行なわれ得る。
【００２９】
また、真空採血管本体２の表面に、ガスバリヤー性を高めるために、ケイ素、アルミニウム、マグネシウム、チタンまたはジルコニウムなどから選ばれる１種類以上の金属元素の酸化物皮膜を蒸着またはプラズマＣＶＤ法など従来公知の方法で設けてもよい。もっとも、ガスバリヤー性を高めるための処理を施さなくてもよい。
【００３０】
真空採血管用栓体３を構成する材料としては、開口端２ａを液密的に閉塞し、かつ採血針を刺通すことが可能なゴム弾性体で、かつガスバリヤー性に優れている加硫されたブチルゴムが一般的に用いられる。しかしながら、ゴムの加硫は生産性が低いことから、公知の射出成型可能な軟質の熱可塑性樹脂や熱可塑性エラストマーを用いてもよい。また、ガスバリヤー性に優れたアルミニウムやナイロンなどの薄いシートに針穴シール性に優れたゴムシートあるいはゴムチップなどを積層接着したシート複合物を、真空採血管本体２の開口端２ａに、直接融着または接着する方法で形成された真空採血管用栓体であってもよい。さらに、真空採血管用栓体３の上部に凹部３ａを設けることにより、肉厚の薄い部分を設けることができ、採血針の刺通を容易とすることができる。なお、凹部３ａは設けられずともよい。
【００３１】
図２は本実施形態に使用される摺動部材を説明するための正面半断面図である。
【００３２】
摺動部材４は、真空採血管本体２内の開口端２ａ付近で、かつ真空採血管用栓体３と僅かに離間した位置に収納されている。図２に示す摺動部材４は、真空採血管本体２内壁面に密着していない柱状の摺動部材本体４ａと、該摺動部材本体４ａ側面に環状に形成されており、かつ真空採血管本体２内壁面と液密的に接する環状リブ４ｂとから構成されている。摺動部材４は、真空採血管本体２内壁面を液密的に接しつつ、真空採血管本体２の開口端２ａ側から他端側へ摺動され得る必要がある。環状リブ４ｂは、真空採血管本体２の開口端２ａ部側から他端側方向には、真空採血管本体２内壁面と環状リブ４ｂとの接触部分の摩擦抵抗を小さくし、採取した血液と真空採血管１内との圧力差で滑らかに摺動部材４を摺動させることができるようにし、かつ反対方向には、真空採血管本体２内壁面と環状リブ４ｂとの接触部分の摩擦抵抗が大きく摺動させることができないように形成されなければならない。
【００３３】
上記のような作用を果たすために、本実施形態では環状リブ４ｂは、第１，第２の環状
面４ｂ1，４ｂ2を有する。すなわち、環状リブ４ｂの真空採血管本体２内壁面に密着している外側外周縁から摺動部材本体４ａに延びている面のうち、真空採血管本体２の開口端２ａ側に位置する第１の環状面４ｂ1は、真空採血管本体２の長さ方向と直交する環状面
とされている。第１の環状面４ｂ1がこのように構成されているため、摺動部材４は、真
空採血管本体２の開口端２ａ側に移動し難くされている。なお、第１の環状面４ｂ1は、
上記のように真空採血管本体２の長さ方向と直交する方向である必要は必ずしもなく、径方向外側にいくにつれて真空採血管本体２の開口端２ａ側に位置するように傾斜されていてもよい。
【００３４】
他方、第２の環状面４ｂ2は、環状リブ４ｂの真空採血管本体２内壁面に密着している
外側外周縁から摺動部材本体４ｂに延びている面のうち、真空採血管本体２の他端側に位置する環状面である。この第２の環状面４ｂ2は、径方向外側にいくにつれて真空採血管
本体２の開口端２ａ側に位置するように傾斜されている傾斜面で構成されている。言い換えれば、第２の環状面４ｂ2は、外側外周縁から摺動部材本体４ａに近づくにつれて真空
採血管本体２の他端側に位置するように傾斜されている。第２の環状面４ｂ2が上記のよ
うに構成されているため、摺動部材４は、真空採血管本体２の上記他端側に向かって移動されやすくなっている。なお、第２の環状面４ｂ2は、平面状の傾斜面である必要は必ず
しもなく、曲面状の傾斜面とされていてもよい。
【００３５】
また、本発明においては、摺動部材が真空採血管本体の開口端側に摺動され難く構成されているが、この程度については、前述した逆流が生じる要因となる圧力差により摺動部材が開口端側に移動しない程度であればよい。また、摺動部材が真空採血管本体の開口端と反対側の他端側に向かって移動しやすく構成されているが、この移動容易性の程度は、採血に際しての血流により移動され得る程度であればよい。
【００３６】
また環状リブ４ｂは弾性に富んだ材質で構成されていることが望ましい。環状リブ４ｂの材質として好ましい例としては、オレフィン系、スチレン系、エステル系、ウレタン系、アミド系、ブタジエン系、イソプレン系、イソブチレン系、エチレン−酢酸ビニル系、塩化ビニル系、塩素化エチレン系、天然ゴム系、フッ素ゴム系などの各種エラストマー、及びこれらの共重合体系エラストマーなどの従来公知の各種熱可塑性エラストマー、天然ゴム系、イソプレンゴム系、ブタジエンゴム系、スチレン−ブタジエンゴム系、クロロプレンゴム系、アクリロニトリル−ブタジエンゴム系、ブチルゴム系、エチレン−プロピレンゴム系、エチレン−プロピレン−ジエンゴム系、エチレン−酢酸ビニルゴム系、アクリルゴム系、エチレン−アクリルゴム系、エピクロルヒドリンゴム系、エピクロルヒドリン−エチレンオキサイドゴム系、ポリエーテルウレタンゴム系、ポリエステルウレタンゴム系、シリコンゴム系、フッ素ゴム系などの各種ゴム系材料、及び従来公知の熱硬化性エラストマーなどが用いられる。また、これらの材料が２種以上複合化された材料で構成されていてもよい。これらは一例であり、弾性に富んだ材質であれば差し支えない。上記エラストマーの硬度が高すぎると、液密性が低下することがあり、また、摺動部材４の摺動特性が劣ることがある。上記エラストマーのＪＩＳ硬度Ａ（ＪＩＳ  Ｋ６３０１）またはＡＳＴＭｓｈｏｒｅ硬度Ａ（ＡＳＴＭ  Ｄ２２４０）は、９０以下であることが好ましく、さらに好ましくは６０以下である。
【００３７】
なお、摺動部材本体４ａは、各種ゴム、各種エラストマー、各種合成樹脂など適宜の材料で構成される。摺動部材本体４ａをこれらの適宜材料で成型してから、摺動部材本体４ａの側面に環状リブ４ｂを成型して摺動部材４を構成してもよい。また、より好ましくは、摺動部材本体４ａを環状リブ４ｂと同一の弾性に富んだ材料とし、摺動部材４を一体成型することが望ましい。環状リブ４ｂは、摺動部材本体４ａの側面に１つ以上設けられればよいが、より好ましくは、間隔をあけて２つ以上設けられる。
【００３８】
さらに、上述した摺動部材４の摺動方向と反対方向との摩擦抵抗の差をより一層大きくするために、真空採血管本体２内壁面に、液密性を阻害しない程度の微細な凸凹を形成してもよく、あるいは、エラストマーの薄膜を形成してもよい。真空採血管本体２内壁面に微細な凸凹を形成する方法としては、真空採血管本体２の成型用金型に数マイクロメートルから数十マイクロメートル程度の梨地加工を施しておく方法、粒径数マイクロメートルから数十マイクロメートル程度の、炭酸カルシウム、タルク、カオリン、シリカなどの無機質粒子や、懸濁重合または乳化重合により得られたポリマー粒子などの微粉末を、成型された真空採血管本体２内壁面に接着成分とともに噴霧、接着する方法、または加熱融着する方法などが挙げられる。
【００３９】
一方、エラストマーの薄膜を形成するには、真空採血管本体２を侵さないハロゲン化炭化水素系の溶剤に溶解させた液状ゴム成分を成型された真空採血管本体２の内壁面に、噴霧または塗布し、乾燥し、必要に応じて加熱あるいは紫外線を照射して硬化させる方法などが用いられる。液状ゴム成分としては、液状ポリイソプレン、液状ポリブタジエン、液状スチレン−ブタジエン、液状ポリクロロプレン、液状シリコンなどの公知の各種液状ゴムが用いられる。または、環状リブ４ｂの材質として例示した熱可塑性エラストマーを用いて、予め真空採血管本体２の内径よりわずかに小さい径の筒状シートを成型しておき、これを真空採血管本体２に挿入し加熱固定してもよい。また、真空採血管本体２の材質として例示した熱可塑性樹脂と環状リブ４ｂの材質として例示した熱可塑性エラストマーとを共押出成型法によりチューブ形状に成型してもよい。
【００４０】
液密性を保持した状態でより一層摺動性を高めるために、シリコーンオイル、流動パラフィン、ポリプロピレングリコールなどの各種オイル、ワックス、脂肪酸、脂肪酸塩、脂肪酸アミド、界面活性剤、可塑剤、テトラフルオロエチレンや架橋シリコン樹脂のような滑性微粉末などの潤滑性物質を摺動部材４の表面あるいは真空採血管本体２内壁面に、噴霧、塗布などしてもよい。予め摺動部材や真空採血管本体２の原材料にこれらの潤滑性物質を配合したものを成型してもよい。好ましくは、血液に溶解する物質であるが各種検査値に悪影響を及ぼさない潤滑成分、例えば、ごく少量の非イオン性界面活性剤などが用いられる。このような潤滑成分を用いることにより、採血中は摺動部材４が滑らかに真空採血管本体２の他端側、すなわち底部に摺動していくが、採血終了時には、潤滑成分が血液に溶解し、摺動部材４や真空採血管本体２内壁面から失われるため、より一層、反対方向には移動し難くなる。
【００４１】
次に、上記真空採血管１の使用方法を、図３の部分切欠正面断面図を参照して説明する。
【００４２】
採血に際しては、採血針１１が備わっているホルダー１２を用意する。そして、採血針１１の針部１１ａを被採血者の血管内に挿入すると共に、図３に示されているように、ホルダー１２の開口１２ａから上記真空採血管１を挿入する。採血針１１の反対側の針部１１ｂは鞘１３で覆われており、保護されている。この鞘１３は採血針１１の針部１１ｂを容易に露出でき、かつ蛇腹状に折りたたみ可能な弾性材質で構成されている。もちろん、鞘１３はなくてもよい。真空採血管１をホルダー１２の開口１２ａから他端１２ｂまで移動させると採血針１１の針部１１ｂが真空採血管用栓体３を刺通す構造になっている。
【００４３】
また、真空採血管１内が減圧されているため、真空採血管用栓体３と摺動部材４との間に設けられた空間１４に採血針１１の針部１１ｂが到達すると、被採血者の血管から血液が真空採血管１内に導かれ、採血が開始されるしくみになっている。すなわち、血液は、被採血者の血管から採血針１１を通り、採血針１１の針部１１ｂから真空採血管１内に流入し、一方、摺動部材４は流入する血液と真空採血管１内との圧力差で容易に摺動する構造を有しているので、流入した血液は真空採血管用栓体３と摺動部材４との間に設けられ
た空間１４に採取される。
【００４４】
そして、血液が採取されるにつれて、被採血者の血管内の圧力と真空採血管１内の圧力との圧力差がなくなり採血は終了するが、その後、被採血者の血管内の圧力が急降下を起こし、血液の逆流を起こす事態が生じたとしても、摺動部材４は真空採血管本体２の開口端方向への移動が不可能なため、摺動部材４を備えていることにより、逆流は確実に防止される。
【００４５】
図４は採血中の部分切欠正面断面図である。採取された血液は、真空採血管用栓体３と摺動部材４との間に設けられた空間１４に貯留される。被採血者の血管内の圧力と真空採血管内の圧力との圧力差がなくなり平衡に達すると、血液は被採血者の血管内から採血針１１を通り真空採血管本体２内へ導かれなくなるので、真空採血管１をホルダー１２から外し、被採血者の血管から採血針１１を抜き取って、採血を終了する。
【００４６】
図５は、採血終了後、真空採血管１を放置して採取した血液を凝固させた様子を示す真空採血管１の正面断面図である。本発明の真空採血管１を使用して採血を行うと、採取した血液は、真空採血管用栓体３直下に充満している。従って、採血終了後そのまま真空採血管用体３を開栓すると、採取した血液が飛散する可能性があるので、遠心分離を行い、摺動部材４を真空採血管本体２の他端側、すなわち、底部に降下させるとよい。
【００４７】
図６は、図５に示した真空採血管１を遠心分離した後の様子を示す正面断面図である。
【００４８】
図７（ａ）〜（ｃ）は上記実施形態の摺動部材の変形例を説明するための図であり、図７（ａ）は摺動部材の正面半断面図であり、（ｂ）及び（ｃ）は該摺動部材の使用例を示す正面断面図である。図７（ａ）に示す摺動部材２１は、上記実施形態の摺動部材４と同様に、摺動部材本体２１ａと摺動部材本体２１ａ側面に形成された環状リブ２１ｂとからなるが、摺動部材本体２１ａの内部に凹部２１ｃを設けることにより、凹部２１ｃ内部に抗凝集剤や血液凝固促進剤、検査試薬などの薬剤を収納することが可能である。
【００４９】
図７（ｂ）及び（ｃ）は、実際に薬剤２２、薬剤２３を収納した使用例を示している。薬剤は、薬剤２２のように凹部２１ｃの内側面に塗布するように収納してもよく、薬剤２３のように単に置いておくだけでもよく、任意の方法で収納することができる。
【００５０】
図８は上記実施形態の摺動部材のさらに他の変形例を説明するための正面断面図である。図８に示す摺動部材３１は、上記の摺動部材２１と同様に凹部を有する摺動部材であるが、凹部の内側に仕切り壁３１ｄを形成することにより、凹部３１ｃを２つ以上設けている。凹部を２つ以上設けることは、真空採血管を採血に使用するまで保管しておく際に、例えば、真空採血管本体内に２種類以上の薬剤を収納すれば、薬剤同士が混合されることにより反応などを起こして変性し、薬剤の効能がなくなる可能性がある場合などに非常に有用である。
【図面の簡単な説明】
【００５１】
【図１】本発明の一実施形態に係る真空採血管の正面半断面図。
【図２】図１に示した実施形態で用いられている摺動部材の正面半断面図。
【図３】図１に示した実施形態の真空採血管を用いて血液を採取する工程を説明するための部分切欠正面断面図。
【図４】図３に示した工程による採血中を示すための部分切欠正面断面図。
【図５】採血終了後、真空採血管を放置して採取した血液を凝固させた様子を示す正面断面図。
【図６】図５に示した真空採血管を、遠心分離した後の様子を示す正面断面図。
【図７】（ａ）は本発明に係る摺動部材の変形例を示す正面半断面図、（ｂ）及び（ｃ）は、その使用例を示す正面断面図。
【図８】本発明に係る摺動部材のさらに変形例及びその使用例を示す正面断面図。
【図９】真空採血管により採血する工程を説明するための略図的斜視図。
【図１０】従来の真空採血管の一例を示す正面断面図。
【図１１】従来の真空採血管を用いて採血を行う工程を説明するための部分切欠正面断面図。
【符号の説明】
【００５２】
１…真空採血管
２…真空採血管本体
２ａ…開口端
３…真空採血管用栓体
３ａ…凹部
４…摺動部材
４ａ…摺動部材本体
４ｂ…環状リブ
１１…採血針
１１ａ、１１ｂ…針部
１２…ホルダー
１２ａ…開口
１２ｂ…他端
１３…鞘
１４…空間
１５…血清
１６…血餅
２１…摺動部材
２１ａ…摺動部材本体
２１ｂ…環状リブ
２１ｃ…凹部
２２、２３…薬剤
３１…摺動部材
３１ａ…摺動部材本体
３１ｂ…環状リブ
３１ｃ…凹部
３１ｄ…仕切り壁
【図１】
2005253538.tif 000003
【図２】
2005253538.tif 000004
【図３】
2005253538.tif 000005
【図４】
2005253538.tif 000006
【図５】
2005253538.tif 000007
【図６】
2005253538.tif 000008
【図７】
2005253538.tif 000009
【図８】
2005253538.tif 000010
【図９】
2005253538.tif 000011
【図１０】
2005253538.tif 000012
【図１１】
2005253538.tif 000013